(57)【要約】【課題】入力語句に対する適切な関連語句を入力語句との関連の程度が分かるように表示する電子機器を提供する。【解決手段】本発明に係る電子機器１に含まれるＣＰＵ１０は、入力部２０が受け付けた入力語句のキーワードを取得し、ＲＯＭ５０に格納された見出し語・キーワード対応テーブル５３に登録されている各見出し語のキーワードおよび入力語句のキーワードに共通して含まれるキーワードの個数に基づいて、入力語句と各見出し語との関連度を算出し、関連度に基づいて見出し語の中から抽出した関連語句を、関連度に応じた表示形態で表示部３０に表示させる。【選択図】図１
2009265736.tif 000002
【特許請求の範囲】
【請求項１】
電子機器であって、
複数の見出し語の各々に、各前記見出し語のキーワードを対応付けた第１のテーブルを記憶するための記憶手段と、
外部からの指示を受け付けるための入力手段と、
前記電子機器が出力する画像情報を表示するための表示手段と、
前記電子機器の動作を制御するための制御手段とを備え、
前記制御手段は、
前記入力手段が受け付けた入力語句のキーワードを取得するキーワード取得手段と、
前記入力語句のキーワードおよび前記見出し語のキーワードに共通して含まれるキーワードの個数に基づいて、前記入力語句と前記見出し語の間の関連度を算出する関連度算出手段と、
前記関連度に基づいて、前記見出し語の中から前記入力語句の関連語句を抽出する関連語句抽出手段と、
前記関連語句を、前記関連度に応じた表示形態で前記表示手段に表示させる表示制御手段とを含む、電子機器。
【請求項２】
前記表示制御手段は、前記関連度に基づいた大きさの前記関連語句を囲む枠をさらに前記表示手段に表示させる、請求項１に記載の電子機器。
【請求項３】
前記表示制御手段は、各前記入力語句および前記関連語句を、前記入力語句と前記語句との間の距離が前記関連度に応じた長さになるように前記表示手段に表示させる、請求項１または２に記載の電子機器。
【請求項４】
前記表示制御手段は、前記関連語句を、前記関連度に応じた文字形態で、前記表示手段に表示させる、請求項１から３のいずれか１項に記載の電子機器。
【請求項５】
前記記憶手段は、前記複数の見出し語および各前記見出し語の説明文を含む辞書データをさらに記憶し、
前記制御手段は、各前記説明文から各前記見出し語のキーワードを抽出して、前記第１のテーブルを作成する第１の作成手段をさらに含む、請求項１から４のいずれか１項に記載の電子機器。
【請求項６】
前記制御手段は、各前記説明文からキーワードを抽出し、抽出回数が所定の回数を超えるキーワードを並べた全キーワードテーブルを作成する第２の作成手段をさらに含み、
前記第１の作成手段は、前記第２の作成手段により作成された前記全キーワードテーブルに含まれるキーワードを各前記説明文から抽出する、請求項５に記載の電子機器。
【請求項７】
前記第１の作成手段は、各前記見出し語のキーワードに対し前記説明文中に現れる順番の情報をさらに付加した前記第１のテーブルを作成し、
前記関連度算出手段は、前記入力語句のキーワードおよび前記見出し語のキーワードに共通して含まれるキーワードの個数に、前記第１のテーブルに付加された該キーワードの前記順番に応じた重みを付けて前記関連度を算出する、請求項５または６に記載の電子機器。
【請求項８】
複数の見出し語の各々に各前記見出し語のキーワードを対応付けた第１のテーブルを記憶するための記憶手段を備える電子機器と外部からの指示を受け付けるための入力手段と、前記電子機器が出力する画像情報を表示するための表示手段とを備える電子機器の制御方法であって、
前記入力手段が受け付けた入力語句のキーワードを取得するステップと、
前記第１のテーブルに基づいて、前記入力語句のキーワードおよび前記見出し語のキーワードに共通して含まれるキーワードを抽出するステップと、
前記共通して含まれるキーワードの個数に基づいて、前記入力語句と前記見出し語の間の関連度を算出するステップと、
前記入力語句のキーワードおよび前記見出し語のキーワードに共通して含まれるキーワードを抽出するステップと、
前記共通して含まれるキーワードの個数に基づいて、前記入力語句と前記見出し語の間の関連度を算出するステップと、
前記関連度に基づいて、前記見出し語の中から前記入力語句の関連語句を抽出するステップと、
前記関連語句を、前記関連度に応じた表示形態で前記表示手段に表示させるステップとを備える、電子機器の制御方法。
【請求項９】
コンピュータに、請求項８に記載の制御方法を実行させるためのコンピュータプログラム。
【発明の詳細な説明】
【技術分野】
【０００１】
本発明は、入力された語句に関連する語句を抽出する技術に関する。
【背景技術】
【０００２】
従来、テキストデータに含まれる単語間の関連を調べる技術がいくつか提案されている。このような技術においては、単語のテキストデータ中の出現頻度や、テキストデータにおける単語間の距離、すなわち、その２つの単語の間に現れる単語の個数に基づいて、単語間の関連の度合いを決定していた。
【０００３】
例えば、特許文献１には、電子文書中の２つの単語間の距離が一定値以下となる組数を、その２つの単語の出現回数の積で割ったものを、その２つの単語の関連率とし、関連率を基に電子文書の中の話題単語間の関連を図示する電子文書の話題単語関連図作成方法が開示されている。
【特許文献１】特開２００５−２５０９１６号公報
【発明の開示】
【発明が解決しようとする課題】
【０００４】
しかしながら、特許文献１に記載の方法では、文章構成によっては、単語の関連を正しく把握できない。例えば、単語Ａが文章の前半に多く出現する一方、文章の帰結では単語Ａを置き換えた単語Ｂが用いられているような場合を考えると、単語Ｂは出現回数が少ない上、単語Ａとの距離が離れているため、単語Ａとの関係が深いと判断されることはない。
【０００５】
このように、特許文献１に記載の方法では、関連率を単語の出現回数や単語間の距離に基づいて算出しているため、作成される単語関連図が適切なものになるかどうかは、文章構成に影響される。
【０００６】
本発明は、上記のような問題を解決するためになされたものであって、入力語句に対する適切な関連語句を入力語句との関連の程度が分かるように表示する電子機器を提供することを課題とする。
【課題を解決するための手段】
【０００７】
１つの局面に係る本願発明は、電子機器であって、複数の見出し語の各々に、各見出し語のキーワードを対応付けた第１のテーブルを記憶するための記憶手段と、外部からの指示を受け付けるための入力手段と、電子機器が出力する画像情報を表示するための表示手段と、電子機器の動作を制御するための制御手段とを備え、制御手段は、入力手段が受け付けた入力語句のキーワードを取得するキーワード取得手段と、入力語句のキーワードおよび見出し語のキーワードに共通して含まれるキーワードの個数に基づいて、入力語句と見出し語の間の関連度を算出する関連度算出手段と、関連度に基づいて、見出し語の中から入力語句の関連語句を抽出する関連語句抽出手段と、関連語句を、関連度に応じた表示形態で表示手段に表示させる表示制御手段とを含む。
【０００８】
好ましくは、表示制御手段は、関連度に基づいた大きさの関連語句を囲む枠をさらに表示手段に表示させる。
【０００９】
好ましくは、表示制御手段は、各入力語句および関連語句を、入力語句と語句との間の距離が関連度に応じた長さになるように表示手段に表示させる。
【００１０】
好ましくは、表示制御手段は、関連語句を、関連度に応じた文字形態で、表示手段に表示させる。
【００１１】
好ましくは、記憶手段は、複数の見出し語および各見出し語の説明文を含む辞書データをさらに記憶し、制御手段は、各説明文から各見出し語のキーワードを抽出して、第１のテーブルを作成する第１の作成手段をさらに含む。
【００１２】
制御手段は、各説明文からキーワードを抽出し、抽出回数が所定の回数を超えるキーワードを並べた全キーワードテーブルを作成する第２の作成手段をさらに含み、第１の作成手段は、第２の作成手段により作成された全キーワードテーブルに含まれるキーワードを各説明文から抽出する。
【００１３】
第１の作成手段は、各見出し語のキーワードに対し説明文中に現れる順番の情報をさらに付加した第１のテーブルを作成し、関連度算出手段は、入力語句のキーワードおよび見出し語のキーワードに共通して含まれるキーワードの個数に、第１のテーブルに付加された該キーワードの順番に応じた重みを付けて関連度を算出する。
【００１４】
他の局面に係る本願発明は、複数の見出し語の各々に各見出し語のキーワードを対応付けた第１のテーブルを記憶するための記憶手段を備える電子機器と外部からの指示を受け付けるための入力手段と、電子機器が出力する画像情報を表示するための表示手段とを備える電子機器の制御方法であって、入力手段が受け付けた入力語句のキーワードを取得するステップと、第１のテーブルに基づいて、入力語句のキーワードおよび見出し語のキーワードに共通して含まれるキーワードを抽出するステップと、共通して含まれるキーワードの個数に基づいて、入力語句と見出し語の間の関連度を算出するステップと、入力語句のキーワードおよび見出し語のキーワードに共通して含まれるキーワードを抽出するステップと、共通して含まれるキーワードの個数に基づいて、入力語句と見出し語の間の関連度を算出するステップと、関連度に基づいて、見出し語の中から入力語句の関連語句を抽出するステップと、関連語句を、関連度に応じた表示形態で表示手段に表示させるステップとを備える。
【００１５】
さらに他の局面に係る本願発明は、コンピュータに、上述の制御方法を実行させるためのコンピュータプログラムである。
【発明の効果】
【００１６】
本発明によれば、複数の見出し語について、そのキーワードを予め記憶しておき、記憶されている見出し語のキーワードおよび入力語句のキーワードに共通するキーワードの個数に基づいて入力語句と見出し語との関連度を求め、関連度に基づいて、見出し語の中から入力語句に関係する関連語句を抽出する。そして、関連語句を、関連度に応じた表示形態で表示する。その結果、入力語句に対する適切な関連語句を、入力語句との関連の程度が分かるように表示することができる。
【発明を実施するための最良の形態】
【００１７】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００１８】
（１．ハードウェア構成）
図１は、本発明に係る電子機器１の構成をブロック図形式で示す図である。以下、図１を参照して、電子機器１の構成について説明する。
【００１９】
電子機器１は、ＣＰＵ（Ｃｅｎｔｒａｌ  Ｐｒｏｃｅｓｓｉｎｇ  Ｕｎｉｔ）１０と、入力部２０と、表示部３０と、音声出力部３５と、ＲＡＭ（Ｒａｎｄｏｍ−Ａｃｃｅｓｓ  Ｍｅｍｏｒｙ）４０と、ＲＯＭ（Ｒｅａｄ−Ｏｎｌｙ  Ｍｅｍｏｒｙ）５０と、これらを互いに接続するバス６０とを備える。
【００２０】
ＣＰＵ１０は、入力部２０が受け付けた指示に基づいて、ＲＯＭ５０に含まれる各プログラムをＲＡＭ４０を処理領域として実行する。
【００２１】
入力部２０は、外部からの指示を受け付ける。入力部２０は、文字入力指示を受け付ける文字入力キー２１と、決定指示を受け付ける決定キー２２と、カーソルの移動指示を受け付けるカーソルキー２３とを含む。
【００２２】
表示部３０は、外部に情報を表示する。表示部３０としては、液晶ディスプレイ等の既存のものを用いることができる。
【００２３】
音声出力部３５は、外部に音声情報を出力する。音声出力部３５としては、一般的なスピーカを用いることができる。
【００２４】
ＲＡＭ４０は、選択見出し語４１と、入力テキスト４２と、候補キーワード４３と、見出し語・重みテーブル４４と、図作成用パラメータ４５とを格納する。
【００２５】
選択見出し語４１あるいは入力テキスト４２は、利用者が調べたい事柄として入力したものである。選択見出し語４１は、カーソルキー２３および決定キー２２の操作に基づいて、後述する辞書ＤＢ５４の見出し語の中から選択された見出し語である。入力テキスト４２は、キーボード２１および決定キー２２の操作に基づいて、入力されたテキストである。ここでの「テキスト」とは、文字データのことを指し、単一の単語、複数の単語、複数の単語を含む文のいずれも含むものとする。
【００２６】
候補見出し語４３は、選択見出し語４１あるいは入力テキスト４２（以下、これらをまとめて入力語句とよぶことがある）と関連がある見出し語（以下、関連語句とよぶことがある）の候補である。
【００２７】
関連度テーブル４４は、各見出し語と、各見出し語の入力語句との関連度とを対応付けたテーブルである。
【００２８】
図作成用パラメータ４５は、関連語句の表示部３０における表示態様を決定するために用いられるパラメータである。
【００２９】
ＲＯＭ５０は、辞書ＤＢ５１と、全キーワードテーブル５２と、見出し語・キーワード対応テーブル５３と、キーワード・見出し語テーブル５４と、辞書検索プログラム５５と、画像表示プログラム５６とを格納する。
【００３０】
辞書ＤＢ５４は、複数の見出し語およびその説明データからなる。辞書ＤＢ５４について、図２を用いて具体的に説明する。図２は、辞書ＤＢ５４について説明するための図である。
【００３１】
図２（ａ）は、辞書ＤＢ５４に含まれるデータの一部を示す図である。図２（ａ）に示すように、本実施の形態では、辞書ＤＢ５４の各データは、連番ＩＤ、見出し語、見出し語の分類、見出し語の説明文、画像ＩＤ、画像ポジション、音声ＩＤの項目を含むものとする。
【００３２】
連番ＩＤは、各見出し語固有の番号であり、各データを管理するために用いられる。見出し語は、辞書の項目を示す語句である。分類は、見出し語の属性を表わす情報である。なお、ここでは、各見出し語に１つの分類が割り当てられている例を示したが、１つの見出し語に複数の分類が割り当てられていても構わない。説明文は、見出し語の意味を説明する文章である。例えば、利用者が見出し語「ベートーベン」を選択すると、図２（ｂ）に示すような見出し語および説明文を含む画面が表示部３０に表示されるものとする。
【００３３】
画像ＩＤおよび画像ポジションは、見出し語に画像情報が付随する場合に設けられる項目である。画像ＩＤは、各画像固有の番号である。画像ポジションは、画像を表示する位置を表わす。
【００３４】
音声ＩＤは、見出し語に音声情報が付随する場合に設けられる項目である。音声ＩＤを有する見出し語が選択されると、表示部３０に見出し語とその説明文が表示されるとともに、音声出力部３５から音声ＩＤに対応した音声データが出力される。
【００３５】
本実施の形態においては、辞書ＤＢ５１は、日本語辞書、和英・英和辞書、百科事典、パソコン用語辞典などの複数種類の辞書データからなるものとする。ただし、辞書ＤＢ５１が１種類の辞書データからなるとしても、本発明の実施を妨げるものではない。
【００３６】
全キーワードテーブル５２は、辞書ＤＢ５１に含まれる全説明文中から所定の方法で抽出したキーワードを並べたものである。
【００３７】
見出し語・キーワード対応テーブル５３は、各見出し語に、各見出し語のキーワードを対応付けたテーブルである。
【００３８】
キーワード・見出し語テーブル５４は、各キーワードに、当該キーワードをキーワードとする見出し語を対応付けたテーブルである。
【００３９】
辞書検索プログラム５５は、選択見出し語４１あるいは入力テキスト４２から、候補見出し語４３を抽出し、関連度テーブル４４を作成するためのプログラムである。
【００４０】
画像表示プログラム５６は、関連度テーブル４４から、図作成用パラメータ４５を作成し、図作成用パラメータ４５に基づいた表示を表示部３０に行なわせるためのプログラムである。
【００４１】
（２．各テーブルについて）
ここで、ＲＯＭ５０が記憶する全キーワードテーブル５２、見出し語・キーワード対応テーブル５３、キーワード・見出し語対応テーブル５４について説明する。
【００４２】
全キーワードテーブル５２は、辞書ＤＢ５１に含まれる全説明文中から所定の方法で抽出したキーワードを並べたものである。全キーワードテーブル５２の一例を図３に示す。図３は、全キーワードテーブル５２の一例を示す図である。
【００４３】
全キーワードテーブル５２の作成方法について、図４を参照しつつ説明する。図４は、全キーワードテーブル５２作成のフローチャートである。
【００４４】
ステップＳ４０１において、ＣＰＵ１０は、見出し語の説明文を形態素解析し、説明文から固有名詞を抜き出す。このとき、見出し語に含まれる固有名詞のみを抽出してもよい。見出し語に含まれない固有名詞は、キーワードとして用いるのに不適切である場合があるため、このような抽出方法にすることにより、関連語句抽出に適切な固有名詞からなる全キーワードテーブルを作成することができる。なお、固有名詞ではなく、キーワードとして用いるのに適切な名詞、例えば、名詞のうち代名詞等を抽出してもよい。
【００４５】
本実施の形態においては、このように辞書ＤＢ５１に基づいて抽出したキーワードを関連語句の抽出に用いるため、語句抽出の信頼性が高い。辞書における見出し語とその説明文の関係性は、例えば、インターネット上の情報などに比べ、非常に信用性が高いためである。
【００４６】
そして、ステップＳ４０３において、ＣＰＵ１０は、各固有名詞の登場回数を数える。つまり、抽出した固有名詞が、すでに抽出されたものである場合には、その登場回数に１を加える。抽出した固有名詞が、まだ抽出されていないものである場合、その登場回数を初期値“１”とする。
【００４７】
ステップＳ４０５において、ＣＰＵ１０は、全ての見出し語に対してステップＳ４０１およびステップＳ４０３の処理が行なわれたか判断する。全ての見出し語に対し処理が行なわれていない場合（ステップＳ４０５においてＮｏ）、ステップＳ４０１からの処理を繰り返す。全ての見出し語に対し処理が行なわれた場合（ステップＳ４０５においてＹｅｓ）、ＣＰＵ１０は、ステップＳ４０７からの処理を実行する。
【００４８】
ステップＳ４０７において、ＣＰＵ１０は、登場した固有名詞を、その登場回数が多い順に並べる。
【００４９】
ステップＳ４０９において、ＣＰＵ１０は、登場回数が設定された回数（ここではＮ回とする）を超えているものを、全キーワードテーブル５２として、ＲＯＭ５０に格納する。なお、全キーワードテーブルに登録する固有名詞の抽出方法は、これに限られるものではなく、登場回数の多いものを抽出できる方法であればよい。例えば、登場回数の上位Ｋ個までを、全キーワードテーブルに登録してもよい。
【００５０】
このように登場回数が多いものを全キーワードテーブルに登録することで、全キーワードテーブルの記憶領域を節約できる。また、以降の関連語句の抽出時の演算負荷を減らすことができる。特に、辞書の説明文に含まれる固有名詞の多くは、全説明文を通しても数回しか現われないため、このようにキーワードを絞っておくことで、大幅に記憶領域あるいは演算負荷を削減することができる。
【００５１】
ただし、逆に、関連語句の抽出の精度を高めるのであれば、キーワードをあまり、もしくは、全く絞らないほうがよい。
【００５２】
見出し語・キーワード対応テーブル５３は、各見出し語に、各見出し語のキーワードを対応付けたテーブルである。
【００５３】
図５に、見出し語・キーワード対応テーブル５３の一例を示す。本実施の形態においては、見出し語・キーワード対応テーブルは、見出し語名欄と、その見出し語を含むデータベースの種別に関する情報を表わす種別欄と、各見出し語のキーワード欄とを含む。
【００５４】
図５の種別欄の情報は、「ベートーベン」、「ブルックナー」、…「オーストリア」との見出し語は、百科事典に含まれる情報であることを示している。また、「ウィーンの町並み」は、画像の見出し語であることが分かる。また、「音楽配信」は、パソコン用語辞典の見出し語であることが分かる。
【００５５】
また、１つの見出し語は、複数のキーワードを持つため、キーワード欄は、複数の欄からなる。
【００５６】
見出し語・キーワード対応テーブル５３の作成方法について、図６を参照して説明する。図６は、見出し語・キーワード対応テーブル５３作成のフローチャートである。
【００５７】
ステップＳ６０１において、ＣＰＵ１０は、見出し語自身を、見出し語・キーワード対応テーブル５３のキーワード欄の先頭に登録する。見出し語自身が、その見出し語の特徴をもっともよくあらわす語句だからである。
【００５８】
ステップＳ６０３において、ＣＰＵ１０は、見出し語の説明文を形態素解析し、見出し語に含まれる名詞を取り出す。ここでの処理は、ステップＳ４０１の処理と同様である。
【００５９】
ステップＳ６０５において、ＣＰＵ１０は、ステップＳ６０３において抽出された単語のうち、全キーワードテーブル５２に含まれるものを、見出し語のキーワードに加える。なお、ここでは、抽出された単語を、説明文に現れる順に、見出し語のキーワードに追加するものとする。
【００６０】
ステップＳ６０７において、ＣＰＵ１０は、種別欄に、見出し語の種別を登録する。種別は、テーブル作成の対象となっているデータの種類に応じて定められる。
【００６１】
ステップＳ６０９において、ＣＰＵ１０は、すべての見出し語についてステップＳ６０３、ステップＳ６０５の処理を終えたかを判断する。全ての見出し語に対し処理が終わっていない場合（ステップＳ６０９においてＮｏ）、ステップＳ６０３に戻る。
【００６２】
全ての見出し語に対し処理が終わった場合（ステップＳ６０９においてＹｅｓ）、ＣＰＵ１０は、ステップＳ６１１において、以上の手順で完成したものを、見出し語・キーワードテーブル５３として、ＲＯＭ５３に格納する。
【００６３】
キーワード・見出し語テーブル５４は、各キーワードに、当該キーワードをキーワードとする見出し語を対応付けたテーブルである。図７に、キーワード・見出し語テーブル５４の一例を示す。キーワード・見出し語テーブル５４は、キーワードリスト欄と、キー和ドリスとの各キーワードをキーワードにもつ見出し語を並べた見出し語欄からなる。
【００６４】
キーワード・見出し語テーブル５４の作成方法を、図８を参照しつつ、説明する。図８は、キーワード・見出し語テーブル５４作成のフローチャートである。
【００６５】
ステップＳ８０１において、ＣＰＵ１０は、全キーワードテーブル５２に含まれるキーワードを、キーワード・見出し語テーブル５４のキーワードリスト欄に登録する。
【００６６】
ステップＳ８０３において、ＣＰＵ１０は、キーワードリスト欄のキーワードの１つについて、当該キーワードと同じキーワードを持つ見出し語を、見出し語・キーワード対応テーブル５３から抽出する。
【００６７】
ステップＳ８０５において、ＣＰＵ１０は、ステップＳ８０３において抽出された見出し語を、キーワード・見出し語対応テーブル５４の見出し語欄のうちステップＳ８０３の処理の対象となったキーワードに対応する欄に追加する。
【００６８】
ステップＳ８０７において、全てのキーワードに対し、ステップＳ８０３およびステップＳ８０５の処理を行なったか判断する。全てのキーワードに対し処理が行なわれていない場合（ステップＳ８０７においてＮｏ）、ステップＳ８０３に戻る。
【００６９】
全てのキーワードに対し処理が行なわれた場合（ステップＳ８０７においてＹｅｓ）、ステップＳ８０９において、ＣＰＵ１０は、上記の手順で完成したものを、キーワード・見出し語テーブル５４として、ＲＯＭ５４に格納する。
【００７０】
ところで、見出し語やキーワードの総数は非常に多く、全キーワードテーブル５２、見出し語・キーワード対応テーブル５３、キーワード・見出し語対応テーブル５４の作成処理には、時間がかかるので、これらのテーブルは、予め作成あるいは格納されているのが好ましい。したがって、機器の出荷段階で、これらのテーブルを予めＲＯＭ５０に格納しておくことが好ましい。あるいは、辞書検索プログラム５５を後から機器にインストールする場合、インストール時に、図４、図６、図８に示すような処理をＣＰＵ２０に実行させるのが好ましい。
【００７１】
（３．関連度の算出について）
ＣＰＵ１０は、上述の見出し語・キーワード対応テーブル５３やキーワード・見出し語対応テーブル５４に基づいて、入力語句に対応する関連語句を抽出し、関連度に基づいた表示を表示部３０に行なわせる。ここからは、その方法について説明する。
【００７２】
ここでは、入力語句が見出し語の中から選択された場合について説明する。この場合、入力語句として選択された見出し語に対し、図９のような候補見出し語テーブル４３が作成される。図９は、見出し語である入力語句に対して作成される候補見出し語テーブル４３の一例である。図９（ａ）は、見出し語「ベートーベン」に対する候補見出し語テーブル４３、図９（ｂ）は、見出し語「シューベルト」に対する候補見出し語テーブル４３である。
【００７３】
候補見出し語テーブル４３は、入力語句のキーワードを並べたキーワードリスト欄と、キーワードリストに含まれる各キーワードと同じキーワードをもつ見出し語を並べた見出し語欄とを含む。見出し語欄に含まれるキーワードは、関連語句の候補になる。
【００７４】
ＣＰＵ１０は、以下のように、候補見出し語テーブル４３を作成する。まず、ＣＰＵ１０は、見出し語・キーワード対応テーブル５３を参照して、入力語句に対応するキーワードを、キーワードリスト欄に登録する。なお、各キーワードは、見出し語・キーワード対応テーブル５３と同じ順番で登録されるものとする。そして、キーワード・見出し語対応テーブル５４を参照して、キーワードリスト欄の各キーワードについて、各キーワードをキーワードにもつ見出し語を見出し語欄に登録する。
【００７５】
候補見出し語テーブル４３の作成後、ＣＰＵ１０は、候補見出し語テーブル４３の見出し語欄に含まれる各見出し語と入力語句との間の関連度を、候補見出し語テーブル４３の中に含まれる各見出し語の個数に応じて算出する。つまり、入力語句のキーワードおよび各語句のキーワードに共通に含まれるキーワードの個数に基づいて、見出し語と入力語句との関連度を算出する。ＣＰＵ１０は、各見出し語との関連度を表わす入力語句の関連度テーブル４４を作成し、作成した関連度テーブルをＲＡＭ４０に保持する。
【００７６】
ここで、ＣＰＵ１０は、共通するキーワードの個数を、共通するキーワードの入力語句における重要度を考慮した重みを付けて数えるものとする。例えば、入力語句と見出し語とで共通するキーワードが、見出し語・キーワードテーブル５３の入力語句に対応するキーワードの上位いくつかに入っている場合、そのキーワードの個数に重みを付ける。このような重み付けを与えることにより、入力語句と見出し語との関係をより正確に反映した関連度を算出することができる。
【００７７】
なお、関連度を算出するためには、入力語句のキーワードおよび各語句のキーワードに共通に含まれるキーワードの個数が分かればよい。よって、必ずしもこのような候補見出し語テーブル４３を作成し、候補見出し語テーブル４３中のキーワード数から関連度を求めるという手順を踏む必要はない。
【００７８】
例えば、次のような手順でも、入力語句のキーワードおよび各語句のキーワードに共通に含まれるキーワードの個数を算出できる。まず、ＣＰＵ１０は、見出し語・キーワード対応テーブル５３に基づいて入力語句のキーワードを取得する。次に、入力語句のキーワードの各々について、見出し語・キーワード対応テーブル５３から、入力語句のキーワードをキーワードに含む見出し語を抽出する。すると、共通に含まれるキーワードの個数は、見出し語の抽出回数に一致する。この場合、キーワード・見出し語対応テーブル５４は不要である。
【００７９】
これに対し、本実施の形態の方法には、関連度の抽出にあたり、見出し語・キーワード対応テーブル５３の中からキーワードを検索することが不要であり、処理の負荷を低減できるという利点がある。
【００８０】
より具体的に、図９、図１０を参照して、関連度テーブル４４について説明する。図１０は、図９に示される候補見出し語テーブル４３に基づいて作成される関連度テーブル４４を示す図である。
【００８１】
図１０（ａ）は、図９（ａ）の候補見出し語テーブル４３に基づいて作成される、入力語句「ベートーベン」の関連度テーブル４４である。
【００８２】
この関連度テーブル４４は、入力語句のキーワードのうち上位３つまでのキーワードに対応する見出し語については、重み「２」をかけるという規則にしたがって作成されたものである。例えば、図９（ａ）に示される候補見出し語テーブル４３において、見出し語「シューベルト」は、キーワードリストの「作曲家」「キリスト教音楽」「ロマン主義」「ドイツ」に対応する見出し語欄に現れる。ここで、「作曲家」「キリスト教音楽」は、入力語句の上位３つまでのキーワードに該当する。したがって、「シューベルト」と「ベートーベン」との関係度は、２（回）×（重み）２＋２（回）＝６と算出される。その他の各見出し語の「ベートーベン」との関連度についても、同様の方法により算出されている。
【００８３】
図１０（ｂ）は、図９（ｂ）の候補見出し語テーブル４３に基づいて作成される、入力語句「シューベルト」の関連度テーブル４４である。ここでの関連度の値も、先と同様の方法により算出されたものである。
【００８４】
関連度テーブル４４作成にあたってＣＰＵ１０が実行する処理の流れについて、図１１を参照して説明しておく。図１１は、関連度テーブル４４作成のフローチャートである。
【００８５】
ステップＳ１１０１において、ＣＰＵ１０は、選択された見出し語のキーワードを、見出し語・キーワード対応テーブル５３から抜き出し、候補見出し語テーブル４３のキーワードリスト欄に並べる。この際、ＣＰＵ１０は、キーワードを、見出し語・キーワード対応テーブル５３におけるキーワードの順番順に、並べるものとする。
【００８６】
ステップＳ１１０３において、ＣＰＵ１０は、キーワードリスト欄に含まれるキーワードが、キーワードリスト欄の先頭からＭ個以内に含まれるか判断する。
【００８７】
キーワードがＭ個以内に含まれる場合（ステップＳ１１０３においてＹｅｓ）、ＣＰＵ１０は、ステップＳ１１０５において、ステップキーワード・見出し語対応テーブル５４を参照し、当該キーワードに対応する見出し語を抜き出し、当該キーワードに対応する見出し語欄に登録する。そして、ステップＳ１１０７において、各見出し語の登場回数に重み（ここでは「２」とする）をかけたものを関連度に加える。
【００８８】
キーワードがＭ個以内に含まれない場合（ステップＳ１１０３においてＮｏ）、ＣＰＵ１０は、ステップＳ１１０９において、ステップキーワード・見出し語対応テーブル５４を参照し、当該キーワードに対応する見出し語を抜き出し、当該キーワードに対応する見出し語欄に登録する。そして、ステップＳ１１１１において、各見出し語の登場回数を関連度に加える。
【００８９】
ステップＳ１１１３において、ＣＰＵ１０は、全てのキーワードに対して、ステップＳ１１０３からステップＳ１１１１までの処理が実行されたかを判断する。全てのキーワードに対して処理が実行されていない場合（ステップＳ１１１３においてＮｏ）、ＣＰＵ１０は、ステップＳ１１０３からの処理を繰り返す。全てのキーワードに対して処理が実行されている場合（ステップＳ１１１３においてＹｅｓ）、ステップＳ１１１５に進む。
【００９０】
ステップＳ１１１５において、ＣＰＵ１０は、上記の手順で作成されたテーブルを、関連度テーブル４４として、ＲＡＭ４０に保持する。
【００９１】
以上では、上位Ｍ個までのキーワードに対し、一律の重み付けを与えて、関連度を算出する例について示したが、重み付けの与え方は、上述のものに限られるわけではない。例えば、先頭のキーワードに重みｗ１、２番目のキーワードに重みｗ２、…、ｎ番目のキーワードに重みｗｎ（ここで、ｗ１≧ｗ２≧…≧ｗｎ）を与えるなど、キーワードの重要度を、より細かく重みに反映してもよい。また、逆に、下位のキーワードに低い重み付けを与えてもよい。特別な場合として、上位Ｎ個に入らないキーワードについては、関連度の抽出に考慮しないようにもできる。
【００９２】
また、辞書の種別に応じて重みを変えてもよい。例えば、ある見出し語が、入力語句を含む辞書とは種別の異なる辞書に含まれる場合、種別の同じ辞書に含まれる場合に比べて大きな重みを与えるようにしてもよい。このような重み付けにより、関連語句として抽出される見出し語は、利用者にとって意外なものとなり、検索の幅が広がる。逆に、同じ種別の辞書に含まれる見出し語に対して高い重み付けを与えることで、関連語句を範囲を限定して抽出できる。
【００９３】
また、以前に入力語句として用いたことのある見出し語の重みを大きくしてもよい。このような重み付けにより、利用者の検索履歴を反映して、関連語句を抽出できる。
【００９４】
また、辞書ＤＢ５１に、人名、都市名、曲名、国名、遺産等の分類情報が付加されている場合、分類情報に応じて重みを変えてもよい。辞書の種別に応じて重みを設定する場合と同様、入力語句とは種別の異なる見出し語に対し、種別の同じ見出し語に比べ大きな重みを与えることで、利用者にとって意外な関連語句を抽出することができる。逆に、同じ分類の見出し語に高い重み付けを与えることで、関連語句を制限された範囲から抽出するようにしてもよい。特に、同じ分類の見出し語のみから関連語句を抽出するようにすれば、同一分類内での関連情報を示すことができる。
【００９５】
（４．関連図の作成について）
ＣＰＵ２０は、上述の関連度テーブル４４に基づいて、入力語句に関連する見出し語を、入力語句との関連度に応じた表示形態で表示部３０に表示させる。
【００９６】
ここでは、図１２のように中心に配置された入力語句と、周囲に配置された関連語句と、それらを結ぶ線分とを含む画面が表示されるものとする。図１２は、関連図の一例を示す図である。図１２（ａ）（ｂ）は、それぞれ、図１０（ａ）（ｂ）の関連度テーブル４４に対応する表示である。
【００９７】
本実施の形態の関連図では、入力語句との関連度の高い見出し語は、関連度の低い見出し語に比べ、入力語句との距離が短くなるように表示されるものとする。また、関連度の高い見出し語の表示枠は、関連度の低い見出し語の表示枠に比べ、大きくなるように表示されるものとする。
【００９８】
また、見出し語「ウィーン」のように、見出し語に対応する画像データがある場合には、見出し語の表示枠の上にカメラマークが表示されるものとする。また、見出し語「運命」のように、見出し語に対応する音声データがある場合には、見出し語の表示枠の上に音符マークが表示されるものとする。なお、カメラマークや音符マークは、見出し語が、対応する画像データあるいは音声データを持つことが分かるものであればよく、図１２に示された形態のものに限られるわけではない。
【００９９】
本実施の形態においては、図１２のような画面上で、利用者が入力部２０を介して、各語句を選択することで、次々に、関係する語句の検索を行なうことが可能である。このことを図１３を参照して説明する。図１３は、本発明に係る電子機器の使用にあたって、表示される画面の遷移の一例である。
【０１００】
通常の辞書の使用モードにおいて、見出し語（ここでは「ベートーベン」）を選択すると、図１３（ａ）のように、見出し語とその説明文を示した画面が表示される。
【０１０１】
利用者が、図１３（ａ）に示す画面において関連語句を表示させるための入力を行なうと、あるいは、関連語句を表示するモードを選択して、見出し語「ベートーベン」を選択すると、図１３（ｂ）のような関連図を示す画面に切り替わる。
【０１０２】
図１３（ｂ）のような画面が表示されているときに、利用者は、カーソルキー２３等を操作して、周囲の見出し語のなかから、１つの語句を選択することができる。このとき、図１３（ｃ）のように、入力語句と選択された関連語句とを結ぶ線分がアクティブになるなど、選択された語句が分かるような表示がなされる。
【０１０３】
周囲の見出し語を選択した状態で、利用者が決定キー２２等を操作すると、アクティブな線の先にある関連語句を入力語句とした、図１３（ｄ）のような新たな関連図が作成および表示される。
【０１０４】
また、関連図を表示する画面で中心にある語句を選択すると、その語句の説明データが表示される。例えば、図１３（ｄ）の画面表示時に、中心にある語句「ウィーン」を選択し、決定キー２２を操作すると、図１３（ｅ）のように、「ウィーン」の説明データが表示される。なお、「ウィーン」は、画像データをもつので、説明データには、説明文に加え、画像が含まれる。
【０１０５】
さて、ＣＰＵ１０は、図１２あるいは、図１３（ｂ）（ｄ）のような関連図を作成する手順を、図１４、図１５を参照して、説明する。図１４は、関連図作成のフローチャートである。図１５は、関連図作成にあたって用いられる値のテーブルである。
【０１０６】
ステップＳ１４０１において、ＣＰＵ１０は、関連度テーブル４４から、見出し語を、関連度の高いものから順にＮ個取り出す。ここでは、図１５に示すように、Ｎ＝１２と、予め設定されているものとする。
【０１０７】
ステップＳ１４０３において、ＣＰＵ１０は、取り出した見出し語の関連度のうち、もっとも高いものをｍａｘ、最も低いものをｍｉｎとする。ここでは、図１５に示すように、ｍａｘ＝１５、ｍｉｎ＝６であるとする。
【０１０８】
ステップＳ１４０５において、ＣＰＵ１０は、ｍａｘとｍｉｎの差のＭ分割値を計算し、ｍａｘとｍｉｎの間にある関連度をＭ個の範囲に分割する。ここでは、図１５に示すように、Ｍ＝４とする。差は９であるので、関連度６〜８は範囲１に、関連度９〜１１は範囲２に、関連度１２〜１３は範囲３に、関連度１４〜１５は範囲４に分類される。
【０１０９】
ステップＳ１４０７において、ＣＰＵ１０は、各範囲に割り当てる円の面積を、ｓ１、ｓ２、…、ｓＭとする。ここで、ｓｍ（ｍ＝１、２、…、Ｍ）は、予め与えられた値であるとする。
【０１１０】
ステップＳ１４０９において、ＣＰＵ１０は、円の合計面積が、設定値Ｓを超えていないか判断する。
【０１１１】
円の合計面積がＳを超えている場合（ステップＳ１４０９においてＹｅｓ）、ＣＰＵ１０は、ステップＳ１４１１において、Ｎの値や、大きな円を表示している範囲の変更を行ない、ステップＳ１４０１からの処理を繰り返す。
【０１１２】
円の合計面積がＳを超えない場合（ステップＳ１４０９においてＮｏ）、ＣＰＵ１０は、ステップＳ１４１３において、関連度を基に、入力語句と各見出し語との間の距離を設定する。関連度の高い見出し語に設定する距離は、関連度の低い見出し語に設定する距離に比べて短くなるようにする。なお、範囲ごとに、段階をつけて、距離を設定してもよい。
【０１１３】
以上の処理の結果、図１６に示すような図作成用パラメータ４５が作成される。図１６は、図作成用パラメータ４５の一例を示す図である。
【０１１４】
ステップＳ１４１５において、ＣＰＵ１０は、図１６に示すテーブルに基づく関連図を、表示部３０に表示させる。この処理の際、図１７（ａ）のような準備画面を表示しておき、面積や距離の決定後、図１７（ｂ）のように完成した関連図を表示するようにしてもよい。また、関連語句として抽出された見出し語に音声データや画像データが付随する場合、それを示すアイコンを関連語句につけるようにする。
【０１１５】
利用者は、電子辞書を用いる際に、このような関連図を参照して、より深く項目を調べることができる。また、あいまいに覚えていた事象に関しても、検索して調べることができる。
【０１１６】
従来の辞書を利用した検索では、利用者は、興味の中心となる見出し語を調べ、見出し語の説明文に含まれる単語から、関連のある見出し語を予想し、別の見出し語を調べることで、ある見出し語に関連する事柄を調べる必要があった。しかし、本発明によれば、語句を入力すると、入力語句に関係する語句を表示することができるため、見出し語の説明文を調べる必要がない。
【０１１７】
また、従来の検索方法では、説明文から予測できる関連語は、ユーザの知識量により制限されるが、本発明により表示される関連語句は、ユーザの知識量に制限されない。したがって、本発明は、利用者にとっては思いもよらない事柄間の関連についての知識を利用者に与えることもできる。
【０１１８】
（５．入力語句の変形例）
上述の実施の形態では、選択した見出し語を入力語句とする場合を示したが、利用者が入力した単語あるいは文章を入力語句とすることもできる。この場合、電子機器は、カーソルキー２３、決定キー２２の操作等により、ユーザ入力を受け付けるモードになるものとする。
【０１１９】
利用者が、ユーザ入力を受け付けるモードにおいて、文字入力キー２１を操作し、「ドイツの作曲家でロマン主義の人」と入力したとする。このとき、表示部３０には、図１８のような画面が表示される。図１８は、ユーザ入力を受け付けた状態の画面の一例を示す図である。
【０１２０】
決定キー２２の操作等により、入力された文字列が確定されると、ＣＰＵ１０は、入力された文字列の形態素解析を行ない、文字列中のキーワードを抽出する。そして、抽出したキーワードおよびキーワード・見出し語対応テーブル５４に基づいて、図１９に示すようなユーザ入力に対応した候補見出し語テーブル４３を作成する。図１９は、ユーザ入力に対応した候補見出し語テーブル４３の一例を示す図である。つまり、候補見出し語テーブル４３のキーワードリストに、見出し語・キーワードテーブル５３に基づいて定まる見出し語のキーワードではなく、文字列中のキーワードが登録されている点が、すでに説明した実施の形態と異なる。
【０１２１】
ＣＰＵ１０は、さらに、候補見出し語テーブル４３に基づいて、図２０に示すような関連度テーブル４４を作成する。図２０は、ユーザ入力に対応した関連度テーブル４４の一例を示す図である。さらに、関連度テーブル４４に基づいて、図２１に示すような関連図を表示部３０に表示させる。図２１は、ユーザによる入力テキストに対応する関連図の一例を示す図である。これらの処理は、すでに説明した実施の形態で行なわれるものと同様である。なお、図２１では、入力語句が、ユーザが入力した語句であうことを表わすため、中央の枠内に「？」と表示しているが、「？」以外の表示であっても構わない。例えば、ユーザが入力した語句そのもの、あるいは、ユーザが入力した語句の冒頭の数文字を表示してもよい。
【０１２２】
ユーザ入力に基づいて関連図を作成するにあたって、ＣＰＵ１０が行なう処理の流れを図２２を参照して説明する。図２２は、ユーザ入力から関連図を作成するにあたってＣＰＵ１０が行なう処理の流れを示すフローチャートである。
【０１２３】
ステップＳ２２０１において、ＣＰＵ１０は、ユーザが入力した文章を形態素解析して単語を抽出する。そして、抽出した単語のうち、全キーワードテーブル５２に含まれるものを候補見出し語テーブル４３のキーワードリストに登録する。なお、本実施の形態では、文章を先頭から順に形態素解析し、キーワードを、文章に表れる順番に、キーワードリストに登録するものとする。
【０１２４】
ステップＳ２２０３において、ＣＰＵ１０は、キーワードリストから順番にキーワードを抜き出す。
【０１２５】
ステップＳ２２０５において、ＣＰＵ１０は、ステップＳ２２０３において抜き出したキーワードがキーワードリストの先頭からＭ個以内に含まれるかどうかを判断する。
【０１２６】
抜き出したキーワードが先頭からＭ個以内にある場合（ステップＳ２２０５においてＹｅｓ）、ＣＰＵ１０は、ステップＳ２２０７において、キーワード・見出し語対応テーブル５４から、抜き出したキーワードに対応する見出し語を抜き出す。そして、ステップＳ２２０９において、見出し語の登場回数に重み「２」をかけたものを、その見出し語の関連度に加える。
【０１２７】
抜き出したキーワードが先頭からＭ個以内にない場合（ステップＳ２２０５においてＮｏ）、ＣＰＵ１０は、ステップＳ２２１１において、キーワード・見出し語対応テーブル５４から、抜き出したキーワードに対応する見出し語を抜き出す。そして、ステップＳ２２１３において、見出し語の登場回数を、その見出し語の関連度に加える。
【０１２８】
なお、重みの与え方は、上述のものに限られるわけではない。上述の実施の形態と同様、様々な重みの設定方法をかわりに用いてもよい。
【０１２９】
ステップＳ２２１５において、ＣＰＵ１０は、全てのキーワードに対し、ステップＳ２２０５からステップＳ２２１３までの処理を実行したかを判断する。全てのキーワードに対し処理を実行していない場合（ステップＳ２２１５においてＮｏ）、ステップＳ２２０３に戻る。
【０１３０】
全てのキーワードに対し処理が完了している場合（ステップＳ２２１５においてＹｅｓ）、ＣＰＵ１０は、ステップＳ２２１７において、作成されたテーブルを関連度テーブル４４とする。
【０１３１】
ステップＳ２２１９において、ＣＰＵ１０は、上述の実施の形態と同様の描写方法により、入力語句および関連語句を関連度に応じた表示形態で、表示部３０に表示させる。
【０１３２】
通常の辞書では、ある語からその意味を調べることしかできないが、この方法によれば、意味からその意味に関連する語を調べることができる。
【０１３３】
（６．関連図の変形例）
これまでの実施の形態においては、関連語句の入力語句との関連度を表わすため、入力語句と関連語句との間の距離および関連語句を囲む枠の大きさに関連度を反映させた関連図を表示することとしていた。しかし、関連語句を、入力語句との関連度に基づいて表示する方法は、これに限られるものではない。
【０１３４】
例えば、図２３のように、見出し語に付随する画像データを見出し語のかわりに表示してもよい。他にも、図２４のように、関連語句を、関連度に基づく文字形態で表示してもよい。図２４では、入力語句との関連度の高い関連語句を、関連度の低い関連語句よりも、大きくかつ太く表示している例を示している。もちろん、文字の大きさのみ、あるいは、文字の太さのみで、関連度を表わすようにしてもよい。
【０１３５】
（７．その他の変形例）
さらに、本発明を応用すると、文書ファイル、電子メール、電子ブック等の文字データを含むデータ間の類似関係を示す機器を実現できる。文書ファイルのファイル名など文字データを含むデータを特定する情報を「見出し語」とみなし、文字データを「説明文」とみなすことで、このような応用が可能となる。例えば、本のレビュー集作成にあたって、本発明の手法により、指定した本と近い本の樹形図を作成するといった利用法がある。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】本発明に係る電子機器１の構成をブロック図形式で示す図である。
【図２】辞書ＤＢ５４について説明するための図である。
【図３】全キーワードテーブル５２の一例を示す図である。
【図４】全キーワードテーブル５２作成のフローチャートである。
【図５】見出し語・キーワード対応テーブル５３の一例を示す図である。
【図６】見出し語・キーワード対応テーブル５３作成のフローチャートである。
【図７】キーワード・見出し語テーブル５４の一例を示す図である。
【図８】キーワード・見出し語テーブル５４作成のフローチャートである。
【図９】見出し語である入力語句に対して作成される候補見出し語テーブル４３の一例である。
【図１０】図９に示される候補見出し語テーブル４３に基づいて作成される関連度テーブル４４を示す図である。
【図１１】関連度テーブル４４作成のフローチャートである。
【図１２】関連図の一例を示す図である。
【図１３】本発明に係る電子機器の使用にあたって、表示される画面の遷移の一例である。
【図１４】関連図作成のフローチャートである。
【図１５】関連図作成にあたって用いられる値のテーブルである。
【図１６】図作成用パラメータ４５の一例を示す図である。
【図１７】準備画面および完成した関連図を示した図である。
【図１８】ユーザ入力を受け付けた状態の画面の一例を示す図である。
【図１９】ユーザ入力に対応した候補見出し語テーブル４３の一例を示す図である。
【図２０】ユーザ入力に対応した関連度テーブル４４の一例を示す図である。
【図２１】ユーザによる入力テキストに対応する関連図の一例を示す図である。
【図２２】ユーザ入力から関連図を作成するにあたってＣＰＵ１０が行なう処理の流れを示すフローチャートである。
【図２３】関連語句の表示形態の第１の変形例を示す図である。
【図２４】関連語句の表示形態の第２の変形例を示す図である。
【符号の説明】
【０１３８】
１  電子機器、１０  ＣＰＵ、２０  入力部、２１  文字入力キー、２２  決定キー、２３  カーソルキー、３０  表示部、３５  音声出力部、４０  ＲＡＭ、４１  選択見出し語、４２  入力テキスト、４３  候補見出し語、４４  関連度テーブル、４５  図作成用パラメータ、５０  ＲＯＭ、５１  辞書ＤＢ、５２  全キーワードテーブル、５３  見出し語・キーワード対応テーブル、５４  キーワード・見出し語対応テーブル、５５  辞書検索プログラム、５６  画像表示プログラム。
【図１】
2009265736.tif 000003
【図２】
2009265736.tif 000004
【図３】
2009265736.tif 000005
【図４】
2009265736.tif 000006
【図５】
2009265736.tif 000007
【図６】
2009265736.tif 000008
【図７】
2009265736.tif 000009
【図８】
2009265736.tif 000010
【図９】
2009265736.tif 000011
【図１０】
2009265736.tif 000012
【図１１】
2009265736.tif 000013
【図１２】
2009265736.tif 000014
【図１３】
2009265736.tif 000015
【図１４】
2009265736.tif 000016
【図１５】
2009265736.tif 000017
【図１６】
2009265736.tif 000018
【図１７】
2009265736.tif 000019
【図１８】
2009265736.tif 000020
【図１９】
2009265736.tif 000021
【図２０】
2009265736.tif 000022
【図２１】
2009265736.tif 000023
【図２２】
2009265736.tif 000024
【図２３】
2009265736.tif 000025
【図２４】
2009265736.tif 000026